(57)【要約】【課題】  本発明は、蓋本体の内部に物品収納空間を形成することができる紙パック用の蓋を提供することを課題とする。【解決手段】  板状突出部２１が突設された上方部２２を有する紙パック２に着脱可能に取り付けられる紙パック用の蓋１に於いて、紙パック２の上方部２２に被せられる下方開口型の蓋本体３であって、紙パック２の板状突出部２１に外嵌可能な凹部３５が設けられた蓋本体３と、蓋本体３の下方開口部を構成する辺部のうちの少なくとも一辺部から一体的に延設されたシート片５であって、蓋本体３の内部へ折り曲げ可能なシート片５と、を有し、シート片５を蓋本体３の下方開口部から内部へ折り曲げることにより、蓋本体３とシート片５の間に物品収納空間６が形成される。【選択図】  図３
2008195423.tif 000002
【特許請求の範囲】
【請求項１】
板状突出部が突設された上方部を有する紙パックに着脱可能に取り付けられる紙パック用の蓋に於いて、
前記紙パックの上方部に被せられる下方開口型の蓋本体であって、紙パックの板状突出部に外嵌可能な凹部が設けられた蓋本体と、前記蓋本体の下方開口部を構成する辺部のうちの少なくとも一辺部から一体的に延設されたシート片であって、蓋本体の内部へ折り曲げ可能なシート片と、を有し、
前記シート片を蓋本体の下方開口部から内部へ折り曲げることにより、蓋本体とシート片の間に物品収納空間が形成されることを特徴とする紙パック用の蓋。
【請求項２】
前記シート片を折り曲げた際、シート片の一部が、蓋本体の凹部に嵌入される請求項１に記載の紙パック用の蓋。
【請求項３】
前記凹部に嵌入される前記シート片の嵌入領域には、紙パックの板状突出部の面に当接しうる突部が形成されている請求項２に記載の紙パック用の蓋。
【請求項４】
前記紙パックの上方部が、互いに向かい合うように傾斜された一対の傾斜面部と、前記一対の傾斜面部の上辺部を接着することにより形成された板状突出部と、前記一対の傾斜面部のそれぞれの側辺部間に形成された凹み面部と、を有し、
前記蓋本体には、前記紙パックの凹み面部側へ突出する係止凸部であって、少なくとも何れか一方の傾斜面部の側辺部に係止可能な係止凸部が形成されている請求項１〜３のいずれかに記載の紙パック用の蓋。
【発明の詳細な説明】
【技術分野】
【０００１】
本発明は、紙パックの上方部に被せられる蓋に関する。
【背景技術】
【０００２】
紙パックの上方部の形状として、稜線に沿って板状突出部が突設された切妻屋根状の２つの傾斜面部を有するものが知られている。かかる切妻屋根状の紙パックは、ゲーブルトップ型紙パックとも呼ばれている。該紙パックは、例えば、牛乳、果汁などの飲料、生クリームなどの乳製品、日本酒などのアルコール飲料、みりんなどの液状調味料などを封入する容器として広く用いられている。
【０００３】
従来、特許文献１に、この種の紙パック用の蓋が開示されている。かかる蓋は、３個の山形突出部を有し且つ紙パックの上方部に被せられる外筒と、中央に山形突出部を有する中底板と、からなる。該蓋は、中底板の山形突出部を外筒の山形突出部に内嵌すると共に、外筒と中底板を結合するために両者間が接着テープ又は電気溶接によって止着されている。
また、特許文献２に開示された紙パック用の蓋は、３個の山形突出部を有する本体（特許文献１の外筒に相当する）と、山形突出部を有する底板（特許文献１の中底板に相当する）と、からなり、底板の山形突出部を本体の中央の山形突出部に内嵌することにより、本体と底板の間に２箇所の収納空間を形成し、該空間に口金やしぼり袋が収容されている。
【０００４】
しかしながら、従来の紙パック用の蓋は、外筒と中底板が外れないように、接着テープや熱シールなどによって、中底板を外筒に対して止着する必要があり、このテープ止め等の作業が煩雑である。
他方、このように中底板が接着テープなどで外筒に止着されているため、収納された口金などを取り出す際、中底板を外し難いという問題点がある。
【０００５】
さらに、上記従来の蓋は、搬送時、異物と接触して、紙パックから外れる虞があり、それを改善する必要もある。
【特許文献１】実用新案登録第３００６８７７号公報
【特許文献２】実用新案登録第３０７０６４１号公報
【発明の開示】
【発明が解決しようとする課題】
【０００６】
そこで、本発明は、接着テープなどを用いずに、蓋本体の内部に物品収納空間を形成することができる紙パック用の蓋を提供することを第１の課題とする。
また、本発明は、搬送時に紙パックから外れ難い紙パック用の蓋を提供することを第２の課題とする。
【課題を解決するための手段】
【０００７】
本発明の手段は、板状突出部が突設された上方部を有する紙パックに着脱可能に取り付けられる紙パック用の蓋に於いて、紙パックの上方部に被せられる下方開口型の蓋本体であって、紙パックの板状突出部に外嵌可能な凹部が設けられた蓋本体と、蓋本体の下方開口部を構成する辺部のうちの少なくとも一辺部から一体的に延設されたシート片であって、蓋本体の内部へ折り曲げ可能なシート片と、を有し、シート片を蓋本体の下方開口部から内部へ折り曲げることにより、蓋本体とシート片の間に物品収納空間が形成される紙パック用の蓋を提供する。
【０００８】
上記紙パック用の蓋は、蓋本体の内部に所望の物品を入れた後、シート片を蓋本体の下方開口部から内部側へと折り曲げる。該シート片の折り曲げによって、シート片と蓋本体の間に物品収納空間が形成されるので、蓋本体内に入れた物品を収納保持することができる。かかる物品収納済みの蓋は、紙パックの上方部に被せられて使用される。
上記紙パック用の蓋は、蓋本体から一体的に延設されたシート片を折り曲げることによって、物品収納空間が形成されるので、接着テープなどを用いてシート片を止着する必要がなく、物品を簡易に収納することができる。
また、上記物品収納済みの蓋は、折り曲げられたシート片を蓋本体から引き出すだけで、収納された物品を簡易に取り出すことができる。
【０００９】
さらに、本発明の好ましい態様は、上記シート片を折り曲げた際、シート片の一部が、蓋本体の凹部に嵌入される上記紙パック用の蓋である。
かかる好ましい態様の蓋は、シート片の一部が蓋本体の凹部に嵌入されるので、被した蓋を紙パックから取り外した際に、折り曲げられていたシート片自身の復元力によって、該シート片が蓋本体の内部から外れることを防止できる。
従って、蓋を紙パックから外したときに、不用意に物品が落ちることを防止できる。
【００１０】
また、本発明の好ましい態様は、上記凹部に嵌入される上記シート片の嵌入領域には、紙パックの板状突出部の面に当接しうる突部が形成されている上記紙パック用の蓋である。
かかる好ましい態様の蓋は、紙パックの板状突出部に凹部を外嵌しつつ蓋を紙パックに被せることにより、該シート片の嵌入領域に突設された突部が紙パックの板状突出部に当たり、該板状突出部の面を押圧する。従って、蓋本体の凹部と紙パックの板状突出部の間に間隙を有していても、該隙間にシート片の突部が介在するので、被せた蓋が紙パックから不用意に外れることを防止できる。
【００１１】
さらに、本発明の好ましい態様は、上記紙パックの上方部が、互いに向かい合うように傾斜された一対の傾斜面部と、一対の傾斜面部の上辺部を接着することにより形成された板状突出部と、一対の傾斜面部のそれぞれの側辺部間に形成された凹み面部と、を有し、上記蓋本体には、紙パックの凹み面部側へ突出する係止凸部であって、少なくとも何れか一方の傾斜面部の側辺部に係止可能な係止凸部が形成されている上記紙パック用の蓋である。
かかる紙パック用の蓋は、蓋本体を紙パックの上方部に被した際、傾斜凸部が紙パックの傾斜面部の側辺部に係止されるので、被せた蓋が紙パックから不用意に外れることを防止できる。
【発明の効果】
【００１２】
本発明に係る紙パックの蓋は、接着テープなどを用いずに、蓋本体の内部に物品収納空間を形成して、物品を収納することができる。従って、本発明の蓋は、物品の収納作業を簡易に行うことができ、一方、収納された物品を取り出すことも簡易に行うことができる。
また、本発明の好ましい態様の蓋は、紙パックに対して外れ難いので、例えば、搬送途中で異物と接触した際に、紙パックから脱落することを防止できる。
【発明を実施するための最良の形態】
【００１３】
以下、本発明について、図面を参照しつつ具体的に説明する。
ただし、同様の構成を示す用語の接頭語として、「第１」、「第２」などを付すが、これは、用語を区別するために付するものであり、部材の優劣、順序などを意味するものではない。また、方向を示す用語として、「上」は、紙パックを自立させた状態を基準として、自立させた面から鉛直方向へ離れる方向を指す。「下」は、紙パックを自立させた状態を基準として、自立させた面に近づく方向を指す。
【００１４】
図１〜図４に於いて、１は、紙パック用の蓋を示す。
本発明の蓋１は、図５に示すように、板状突出部２１が突設された略切妻屋根状の上方部２２を有する紙パック２に、着脱可能に取り付けられる。
【００１５】
紙パック２は、従来から広く用いられている、ゲーブルトップ型の紙パックである。該紙パック２は、例えば、牛乳、果汁などの飲料、生クリームなどの乳製品、日本酒などのアルコール飲料、みりんなどの液状調味料などを封入する容器として広く用いられている。
具体的には、該紙パック２は、例えば、厚紙にフィルムが積層されたラミネートシートを用いて形成されている。該紙パック２は、四角筒状の胴部２３と、該四角筒状の胴部２３の下面を閉塞する平坦状の底面部２４と、該胴部２３の上面を閉塞する略切妻屋根状に形成された一対の傾斜面部２５，２６と該一対の傾斜面部２５，２６の稜線に沿って上方に突設された板状突出部２１とを有する上方部２２と、を備える。
上記紙パック２の上方部２２は、四角筒状の胴部２３の上方側に於ける４つの壁面のうち、対向する第１壁面及び第２壁面の面内に、各壁面の上辺中央から左右傾斜状に延びる折り目を形成し、該折り目に沿って前記第１及び第２壁面をそれぞれ内側へ折り込みつつ、残る２つの第３壁面及び第４壁面を互いに向かい合うように傾斜させると共に、該第３壁面及び第４壁面の上辺部を接着することによって形成されている。
【００１６】
従って、紙パック２の上方部２２は、互いに向かい合うように傾斜された一対の傾斜面部２５，２６（上記第３及び第４壁面）と、該一対の傾斜面部２５，２６の両側辺部２５ａ，２６ａと上記第１及び第２壁面とによって形成される三角状を成す一対の凹み面部２７と、一対の傾斜面部２５，２６の稜線（上辺部）に沿って上方に突出された板状突出部２１と、を有する。
この板状突出部２１は、一対の傾斜面部２５，２６の上辺部を幅方向に帯状に接着した部分である。該板状突出部２１は、その接着部分を捲り剥がすことによって、紙パック２を開口する開封口となる。
【００１７】
上記紙パック用の蓋１は、紙パック２の上方部２２に被せられる下方開口型の蓋本体３と、該蓋本体３の一辺部から一体的に延設されたシート片５と、を備える。
蓋本体３は、上記紙パック２の一対の凹み面部２７を覆う一対の側面壁３１，３２（第１及び第２側壁面）と、該一対の側面壁３１，３２の間に形成され且つ紙パック２の一対の傾斜面部２５，２６を覆う一対の正面壁３３，３４（第１及び第２正面壁）と、前記一対の正面壁３３，３４の接合部分に形成され且つ紙パック２の板状突出部２１に上方から外嵌可能な凹部３５と、を有する。
蓋本体３の第１及び第２側面壁３１，３２は、紙パック２に被せた際、紙パック２の傾斜面部２５，２６の側辺部２５ａ，２６ａの縁に当接しうる。この蓋本体３の側壁面３１，３２には、紙パック２の凹み面部２７側（蓋本体３の内部側）へ向かって突出する係止凸部３６が形成されている。この係止凸部３６は、蓋本体３を紙パック２の上方部２２に被せた状態に於いて、傾斜面部２５，２６の側辺部２５ａ，２６ａの下方に係止できる位置に突出されている。
【００１８】
この係止凸部３６は、紙パック２の一対の凹み面部２７，２７に存する一対の傾斜面部２５，２６の各側辺部２５ａ，２６ａに対応してそれぞれ形成されている。従って、係止凸部３６は、蓋本体３の第１及び第２側面壁３１，３２にそれぞれ２ヶ所ずつ形成されている。かかる係止凸部３６が形成されていることにより、蓋本体３を紙パック２の上方部２２に被した際、各係止凸部３６が紙パック２の一対の傾斜面部２５，２６の各側辺部２５ａ，２６ａに各々係止される。このため、蓋本体３が紙パック２から不用意に外れることを防止できる。
ただし、係止凸部３６は、上記のように４ヶ所形成されている場合に限定されず、係止凸部３６が、２ヶ所形成されているもの、或いは、１ヶ所形成されているものなどでもよい。要は、係止凸部３６によって、紙パック２の傾斜面部２５，２６の側辺部２５ａ，２６ａの少なくとも１ヶ所にて係止できればよい。もっとも、上記のように係止凸部３６が４ヶ所形成されている場合には、紙パック２に対する係止を確実に行えるので好ましい。
【００１９】
次に、蓋本体３の第１正面壁３３は、紙パック２の一方の傾斜面部２５の上方を覆い且つ該傾斜面部２５に接するように傾斜して形成されている。蓋本体３の第２正面壁３４は、紙パック２の他方の傾斜面部２６の上方を覆い且つ該傾斜面部２６との間に空間を有するように離反して形成されている。例えば、該第２の正面壁３４は、凹部３５から延びる水平面と該水平面の端部から下方に延びる鉛直面の２つの面からなる。
【００２０】
蓋本体３の凹部３５は、紙パック２の板状突出部２１に対応して、蓋本体３の略全幅に渡って形成されている。つまり、該凹部３５は、板状突出部２１の延びる方向と平行な方向に、凹みが延びている長状凹部である。
該凹部３５の内寸は、紙パック２の板状突出部２１を挿入脱できる程度であれば特に限定されず、例えば、紙パック２の板状突出部２１の肉厚よりも広く形成されている。例えば、板状突出部２１は、通常、厚み１〜２ｍｍ程度のものが汎用されているため、凹部３５の内寸は、３〜１０ｍｍ程度に形成される。
【００２１】
蓋本体３の下方開口部は、一対の側面壁３１，３２の下辺部と一対の正面壁３３，３４の下辺部によって構成され、該下方開口部は、略正方形状とされている。
なお、蓋本体３は、下方開口部を通じて紙パック２の上方部２２に被せられるが、蓋本体３を被した際、蓋本体３の側面壁３１，３２の下方側及び正面壁３３，３４の下方側が、紙パック２の胴部２３の一部に被さるように形成されている。
【００２２】
次に、シート片５は、蓋本体３の一辺部から延設されており、平面視矩形状に形成されている。本実施形態では、シート片５は、第２正面壁３４の下辺部３４ａ（板状突出部２１の延びる方向と平行な辺部）から一体的に延設されている。
蓋本体３とシート片５の境界部分であるシート片５の基部には、ヒンジ部５１が形成されている。このヒンジ部５１は、シート片５の全幅に渡って（シート片５の一側縁５ａから他側縁５ｂにかけて）形成された凸状部からなる。該ヒンジ部５１を介して、シート片５を折り曲げることができる。また、該ヒンジ部５１は、凸状部からなるので、シート片５を折り曲げた際、該凸状のヒンジ部５１が、紙パック２の胴部２３の上方側に当接しうる。このため、該凸状のヒンジ部５１は、蓋本体３を紙パック２から外れ難くする機能を有する。
もっとも、ヒンジ部５１は、かかる凸状部に限られず、例えば、シート片５にミシン目線やハーフカット線を形成することで代用することもできる。また、かかるヒンジ部５１が設けられていなくても、シート片５は、蓋本体３との境界部分に於いて、折り曲げることができる。
【００２３】
さらに、シート片５の中央部及び先端辺部５ｃ近傍には、第１突部５２及び第２突部５３がそれぞれ形成されている。この突部５２，５３は、蓋本体３の第２正面壁３４の下辺部３４ａと平行に延びているが、シート片５の一側縁５ａ及び他側縁５ｂにまで至らずにシート片５の面内に形成されている。
該第１及び第２突部５２，５３は、シート片５を平面状に保持する補強リブとして機能する。また、第２突部５３は、シート片５を蓋本体３の内部に折り曲げてその先端辺部５ｃを凹部３５に嵌入した状態で、紙パック２の板状突出部２１に当接する押圧用の突部としても機能する。シート片５を折り曲げた際に、第２突部５３が紙パック２の板状突出部２１に当たるようにするために、図２及び図３に示すように、第２突部５３は、シート片５の上方側へ向けて突出されている。
【００２４】
なお、蓋本体３の凹部３５の幅方向中央部にも、第３突部３８が形成されている。この第３突部３８は、凹部３５の内部側に向かって突出されている。該第３突部３８は、蓋本体３の凹部３５を板状突出部２１に外嵌した際に、板状突出部２１の面に当接しうる。
【００２５】
このシート片５の長さ（シート片５の基部から先端辺部５ｃまでの長さ）は、蓋本体３の内部に折り込んだ際、シート片５の先端辺部５ｃが、蓋本体３の凹部３５に嵌入しうる長さに形成されている。
また、シート片５の幅（シート片５の一側縁５ａから他側縁５ｂまでの長さ）は、蓋本体３の第２正面壁３４の下辺部３４ａの幅よりも僅かに狭く形成されている。
【００２６】
蓋１の材質は、特に限定されず、通常、合成樹脂が用いられる。合成樹脂としては、ポリプロピレン、ポリエチレンなどのポリオレフィン系、ポリエチレンテレフタレートなどのポリエステル系、ポリスチレン系、ポリアミド系などの熱可塑性樹脂を用いることができる。蓋１の材質は、透光性を有するもの（透明又は半透明）、実質的に透光性を有しないもの、の何れを用いてもよい。内部に収納した物品を透視できるので、蓋１は、透光性を有する材質を用いることが好ましい。
【００２７】
蓋１は、蓋本体３とシート片５を一体的に形成できるものであればその製法は特に限定されず、例えば、シート成形法、射出成形法などが挙げられる。
蓋１は、好ましくはシート成形法によって形成される。例えば、蓋１は、厚み３００μｍ〜７００μｍ程度の熱可塑性樹脂シート（例えば、ポリプロピレンシート等）を用いて、公知のシート成形法によって形成することができる。
なお、蓋１には、必要に応じて、適宜なデザイン印刷を施してもよいし、又、ラベルなどを貼付してもよい。
【００２８】
次に、本発明の紙パック用の蓋１の使用例について説明する。
図６に示すように、蓋本体３の第２正面壁３４の下面側に物品Ｘを挿入する。
収納される物品Ｘは、特に限定されず、各種景品、口金やしぼり袋などの調理用備品などの任意のものである。
次に、ヒンジ部５１に於いてシート片５を内側へ折り曲げ、シート片５の先端辺部５ｃを蓋本体３の凹部３５に嵌入する（該凹部３５に嵌入した部分を、シート片５の嵌入領域という）。シート片５が、凹部３５に嵌入されることにより、折り曲げられたシート片５は、凹部３５に係止される。このためシート片５は元の状態に復帰せず、該シート片５と蓋本体３の第２正面壁３４の間に物品Ｘの収納された物品収納空間６が形成される。
このように折り曲げたシート片５の一部が凹部３５に嵌入されていると、シート片５の復元力によってシート片５が元の状態に戻る虞がなく、物品Ｘを確実に保持できる。
【００２９】
なお、シート片５の嵌入領域は、第２突部５３を含んでいる。シート片５は折り曲げられて反転するので、上記嵌入領域に於ける第２突部５３は、凹部３５の内部側に向かって突出した状態となる。
また、折り曲げられたシート片５は、それ自身の復元力によって、下方側へ回動するように付勢されている。従って、シート片５の嵌入領域は、凹部３５の一方の内面３５ａ（第１傾斜面３３に近接した面）に当たった状態となる。
【００３０】
物品収納済みの蓋１は、図７に示すように、紙パック２の上方部２２に被せられる。具体的には、蓋１は、蓋本体３の下方開口部から紙パック２の上方部２２に被せ、蓋本体３の凹部３５を紙パック２の板状突出部２１に外嵌することにより、紙パック２に取り付けられる。
蓋本体３の凹部３５には、折り曲げられたシート片５が嵌入しているので、該シート片５の嵌入領域が板状突出部２１の一面に当たり、該シート片５の付勢力により、凹部３５の一方の内面３５ａとシート片５の嵌入領域の間に存する板状突出部２１を挟持することができる。特に、板状突出部２１の嵌入領域には第２突部５３が突設され、且つ凹部３５には第３突部３８が突設されているので、第２突部５３が、板状突出部２１の一面にスポット的に当接し、且つ第３突部３８が板状突出部の他面にスポット的に当接する。従って、上記シート片５の付勢力と相乗して、シート片５の第２突部５３が、板状突出部２１の面を押圧するので、蓋１は、紙パック２から外れにくくなる。
【００３１】
また、蓋本体に形成された係合凸部３６が、紙パック２の傾斜面部２５，２６の側辺部２５ａ，２６ａの下方に係止されるため、蓋１は、より確実に紙パック２に取り付けられ、搬送途中で不用意に外れる虞がない。
【００３２】
なお、本発明は、上記実施形態の蓋に限られず、適宜設計変更できる。以下、本発明の変形例を示すが、主として上記実施形態と異なる構成について説明し、同様の構成については、説明を省略し、用語及び符号を援用する場合がある。
【００３３】
上記実施形態では、シート片５は、蓋本体３の一つの辺部から延設されているが、例えば、図８に示すように、蓋本体３の２つの辺部から延設されていてもよい。具体的には、該シート片５は、第１正面壁３３の下辺部３３ａから一体的に延設された第１シート片５’と、第２正面壁３４の下辺部３４ａから一体的に延設された第２シート片５”と、を有する。第１シート片５’及び第２シート片５”も、上記実施形態と同様にして、それぞれが向かい合うように蓋本体３の内部へ折り曲げ、且つ蓋本体３の凹部３５に嵌入することにより、蓋本体３内に２つの物品収納空間６，６を形成できる。なお、このように２つの物品収納空間６，６を形成する場合、第１正面壁３３は、紙パック２の傾斜面部２５との間に空間を有するように、上方へ膨らんだ形状に形成されていることが好ましい（図８参照）。
【００３４】
また、図９及び図１０に示すように、シート片５の長さを上記実施形態の略２倍に形成することにより、１つのシート片５によって蓋本体３内に２つの物品収納空間を形成することもできる。具体的には、シート片５は、例えば、第２正面壁３４の下辺部３４ａから延設されている。該シート片５の長さは、シート片５を折り曲げた際、その中間部５５が蓋本体３の凹部３５に嵌入可能で、且つその先端辺部５ｃが第１正面壁３３の下方側に接しうる長さに形成されている。
なお、該シート片５の中間部５５には、シート片５の基部に形成されたヒンジ部５１と同様に、シート片５の全幅に渡って凸状に延びるヒンジ部５６が形成されていることが好ましい。その他、必要に応じて、上記実施形態と同様に、補強リブとなる突部や、板状突出部に当接する突部などを適宜形成してもよい（これらは、図９及び図１０に於いて、図示せず）。
かかるシート片５は、中間部５５のヒンジ部５６に於いて山折りされると共に、基部のヒンジ部５１に於いてシート片５全体を蓋本体３の内部に折り曲げ、シート片５の中間部５５を蓋本体３の凹部３５に嵌入することにより、２つの物品収納空間６，６を形成できる（図１０参照）。
この場合、図１０（ｂ）に示すように、第１正面壁３３の下方部に切り目３３ａを形成し、該切り目３３ａで囲われた部分を蓋本体３の内部に押し込むことにより、第１正面壁３３の一部分に、上方に斜め傾斜した掛止片部３３ｂを形成してもよい。該係止片部３３ｂの上方から、上記折り曲げられたシート片５の先端辺部５ｃを差し込むことにより、蓋本体３内に折り曲げられたシート片５を外れ難くすることができる。
【００３５】
また、上記実施形態では、蓋本体３の凹部３５の内寸が、紙パック２の板状突出部２１の肉厚よりも随分と広いものを例示したが、例えば、図１１に示すように、凹部３５の内寸が、板状突出部２１に肉厚よりも僅かに広いものでもよい。
さらに、同図に示すように、蓋本体３の側壁面３１，３２に形成される係合凸部３６を、上記実施形態に比して、少し上方側に配置してもよい。
また、同図に示すように、シート片５と共に物品収納空間６を形成する第２正面壁３４の、凹部３５の境界部分に、下方に凹む段部３４ｂを形成してもよい。
【００３６】
さらに、上記実施形態では、折り曲げたシート片５の一部が、蓋本体３の凹部３５に嵌入されるものを例示したが、シート片５を折り曲げた際、その一部が蓋本体３の凹部３５に嵌入されないものでもよい。
また、上記実施形態に於いて、紙パック２は、一対の傾斜面部２５，２６が平坦状のものを例示しているが、例えば、一方の傾斜面部２５の中央部に、筒状の注ぎ口が突設されている紙パック２を用い、該紙パック２に本発明の蓋１を被せることもできる。かかる筒状の注ぎ口を有する紙パック２は、酒やみりんなどを入れる紙パックとして広く用いられている。
この場合、蓋１は、例えば、その正面壁の一部が紙パック２の上記筒状の注ぎ口に対応して凹状に形成されているものや、例えば、図８に示すように、第１及び第２正面壁３３，３４の双方が上方に膨らんだ形状に形成されているものが好ましい。
【図面の簡単な説明】
【００３７】
【図１】本発明の紙パック用の蓋の一実施形態を示す平面図。
【図２】同側面図。
【図３】図１のＩ−Ｉ線断面図。
【図４】図１のII−II線端面図。
【図５】紙パックの一実施形態を示す斜視図。
【図６】同蓋の使用状態を示す断面図。
【図７】同蓋を紙パックに取り付けた状態を示す断面図。ただし、紙パックは、二点鎖線で示し、紙パックの上方部のみを概略的に表している。
【図８】本発明の紙パック用の蓋の他の実施形態を示す断面図。
【図９】本発明の紙パック用の蓋の他の実施形態を示す断面図。
【図１０】（ａ）は、同蓋の使用状態を示す断面図、（ｂ）は、同（ａ）に掛止片部を形成した蓋の使用状態を示す断面図。
【図１１】本発明の紙パック用の蓋の他の実施形態を示す断面図。
【符号の説明】
【００３８】
１…紙パック用の蓋、２…紙パック、２１…紙パックの板状突出部、２２…紙パックの上方部、２５，２６…紙パックの傾斜面部、２５ａ，２６ａ…傾斜面部の側辺部、２７…紙パックの凹み面部、３…蓋本体、３５…蓋本体の凹部、３６…蓋本体の係止凸部、５…シート片、５ｃ…シート片の先端辺部（嵌入領域）、５２，５３…シート片の突部
【図１】
2008195423.tif 000003
【図２】
2008195423.tif 000004
【図３】
2008195423.tif 000005
【図４】
2008195423.tif 000006
【図５】
2008195423.tif 000007
【図６】
2008195423.tif 000008
【図７】
2008195423.tif 000009
【図８】
2008195423.tif 000010
【図９】
2008195423.tif 000011
【図１０】
2008195423.tif 000012
【図１１】
2008195423.tif 000013